(57)【要約】【課題】毛髪に平面的なＳ字状の癖付けを行うパーマネントウェーブの施術方法を提供する。【解決手段】パーマネントウェーブの施術方法は、第１の巻付工程と、第２の巻付工程と、を有する。第１の巻付工程では、第１のロッドに毛髪を巻き付ける。第２の巻付工程では、第１のロッドに巻き付けられた毛髪を介して、第２のロッドを第１のロッドに当接させるように、第１のロッドに巻き付けた方向とは反対の方向に、毛髪を第２のロッドに巻き付ける。【選択図】図１
2018064703.tif 000002
【特許請求の範囲】
【請求項１】
第１のロッドに毛髪を巻き付ける第１の巻付工程と、
前記第１のロッドに巻き付けられた毛髪を介して、第２のロッドを前記第１のロッドに当接させるように、前記第１のロッドに巻き付けた方向とは反対の方向に、毛髪を前記第２のロッドに巻き付ける第２の巻付工程と、
を有する、パーマネントウェーブの施術方法。
【請求項２】
請求項１に記載のパーマネントウェーブの施術方法であって、
前記第２の巻付工程では、前記第１のロッドに二重に巻き付けられた毛髪を介して、前記第２のロッドを、前記第１のロッドに当接させる、パーマネントウェーブの施術方法。
【請求項３】
請求項１又は請求項２に記載のパーマネントウェーブの施術方法であって、
前記第２のロッドの外径は、前記第１のロッドの外径と大きさが異なる、パーマネントウェーブの施術方法。
【請求項４】
請求項３に記載のパーマネントウェーブの施術方法であって、
前記第２のロッドの外径は、前記第１のロッドの外径よりも小さい、パーマネントウェーブの施術方法。
【請求項５】
請求項３に記載のパーマネントウェーブの施術方法であって、
前記第２のロッドの外径は、前記第１のロッドの外径よりも大きい、パーマネントウェーブの施術方法。
【請求項６】
請求項１から請求項５までのいずれか１項に記載のパーマネントウェーブの施術方法であって、
前記第２の巻付工程の後に、前記第１のロッドに巻き付けられた毛髪及び前記第２のロッドに巻き付けられた毛髪を介して、第３のロッドを前記第１のロッドと前記第２のロッドとのそれぞれに当接させるように、前記第２のロッドに巻き付けた方向とは反対の方向に、毛髪を前記第３のロッドに巻き付ける第３の巻付工程を更に有する、パーマネントウェーブの施術方法。
【請求項７】
請求項６に記載のパーマネントウェーブの施術方法であって、
前記第３の巻付工程の後に、前記第２のロッドに巻き付けられた毛髪及び前記第３のロッドに巻き付けられた毛髪を介して、第４のロッドを前記第２のロッドと前記第３のロッドとのそれぞれに当接させるように、前記第３のロッドに巻き付けた方向とは反対の方向に、毛髪を前記第４のロッドに巻き付ける第４の巻付工程を更に有する、パーマネントウェーブの施術方法。
【発明の詳細な説明】
【技術分野】
【０００１】
本開示は、パーマネントウェーブの施術方法に関する。
【背景技術】
【０００２】
パーマネントウェーブ用のロッドに被施術者の毛髪を巻き付けることにより、毛髪を所望の形状に癖付けするパーマネントウェーブ施術方法が知られている。このようなパーマネントウェーブの施術方法では、１つのロッドに１つの毛束を巻き付けることによって癖付けを行うのが通常である。このような施術方法によって癖付けされた毛髪は、施術後立体的ならせん状にカールしたヘアスタイルとなる。
【発明の概要】
【発明が解決しようとする課題】
【０００３】
近年では、立体的ならせん状に替わって、平面的なＳ字状のヘアスタイルの需要が増えてきている。しかしながら、上述したパーマネントウェーブの施術方法では、立体的ならせん状には毛髪を癖付けできるものの、平面的なＳ字状に毛髪を癖付けすることはできない。そのため、Ｓ字状のウェーブを所望する被施術者は、その都度コテ等を用いて毛髪に癖付けを行いＳ字状のウェーブを作り出さなければならない。このようにコテ等を用いて毛髪に癖付けを行う作業は、時間を要する煩雑な作業となり、かつ毛髪も痛みやすく、被施術者の負担となっていた。
【０００４】
本開示の一局面は、毛髪に平面的なＳ字状の癖付けを行うパーマネントウェーブの施術方法を提供することを目的としている。
【課題を解決するための手段】
【０００５】
本開示の一態様は、パーマネントウェーブの施術方法であって、第１の巻付工程と、第２の巻付工程と、を有する。第１の巻付工程では、第１のロッドに毛髪を巻き付ける。第２の巻付工程では、第１のロッドに巻き付けられた毛髪を介して、第２のロッドを第１のロッドに当接させるように、第１のロッドに巻き付けた方向とは反対の方向に、毛髪を第２のロッドに巻き付ける。
【０００６】
このような方法によれば、第１のロッド及び第２のロッドによってＳ字状にカールされた状態で毛髪の癖付けが行われる。よって、毛髪に平面的なＳ字状の癖付けを行うパーマネントウェーブの施術方法を提供することが可能となる。
【０００７】
本開示の一態様は、第２の巻付工程で、第１のロッドに二重に巻き付けられた毛髪を介して、第２のロッドを、第１のロッドに当接させてもよい。このような方法によれば、第１のロッドに一重のみ巻き付けられた毛髪を介して第２のロッドを第１のロッドに当接させる場合と比較して、毛髪における第１のロッドに巻き付けた部分に、より強く癖付けを行うことが可能となる。
【０００８】
本開示の一態様は、第２のロッドの外径が、第１のロッドの外径と大きさが異なっていてもよい。このような方法によれば、第１のロッドに巻き付けられた毛髪と第２のロッドに巻き付けられた毛髪とで、カールのかかり具合をそれぞれ独立して調整することができる。
【０００９】
本開示の一態様は、第２のロッドの外径を、第１のロッドの外径よりも小さくしてもよい。このような方法によれば、第１のロッドの外径と同じ外径の第２のロッドを用いた場合と比較して、第１のロッドに巻き付けられた毛髪よりも、第２のロッドに巻き付けられた毛髪が強く癖付けされるよう調整することができる。
【００１０】
本開示の一態様は、第２のロッドの外径を、第１のロッドの外径よりも大きくしてもよい。このような方法によれば、第１のロッドの外径と同じ外径の第２のロッドを用いた場合と比較して、第１のロッドに巻き付けられた毛髪よりも、第２のロッドに巻き付けられた毛髪が弱く癖付けされるよう調整することができる。
【００１１】
本開示の一態様は、第２の巻付工程の後に、第１のロッドに巻き付けられた毛髪及び第２のロッドに巻き付けられた毛髪を介して、第３のロッドを第１のロッドと第２のロッドとのそれぞれに当接させるように、第２のロッドに巻き付けた方向とは反対の方向に、毛髪を第３のロッドに巻き付ける第３の巻付工程を更に有してもよい。このような方法によれば、第１のロッド及び第２のロッドのみによって毛髪の癖付けを行う場合と比較して、ウェーブの数を増やして毛髪の癖付けを行うことができる。
【００１２】
本開示の一態様は、第３の巻付工程の後に、第２のロッドに巻き付けられた毛髪及び第３のロッドに巻き付けられた毛髪を介して、第４のロッドを第２のロッドと第３のロッドとのそれぞれに当接させるように、第３のロッドに巻き付けた方向とは反対の方向に、毛髪を第４のロッドに巻き付ける第４の巻付工程を更に有してもよい。このような方法によれば、第１のロッド、第２のロッド及び第３のロッドのみによって毛髪の癖付けを行う場合と比較して、ウェーブの数を増やして毛髪の癖付けを行うことができる。
【図面の簡単な説明】
【００１３】
【図１】第１実施形態における内巻きのロッドの巻付手順を示す図である。
【図２】第１実施形態における内巻き及び外巻きのロッドの固定状態を示す図である。
【図３】図３（Ａ）は、従来の施術方法によって提供されるヘアスタイルを正面から見た図、図３（Ｂ）は、従来の施術方法によって提供されるヘアスタイルを右側面から見た図、図３（Ｃ）は、実施形態の施術方法によって提供されるヘアスタイルを正面から見た図、図３（Ｄ）は、実施形態の施術方法によって提供されるヘアスタイルを右側面から見た図である。
【図４】第２実施形態における内巻きのロッドの巻付手順を示す図である。
【図５】第２実施形態における内巻き及び外巻きのロッドの固定状態を示す図である。
【図６】第３実施形態における内巻きのロッドの巻付手順を示す図である。
【図７】第３実施形態における内巻き及び外巻きのロッドの固定状態を示す図である。
【図８】第１変形例における内巻きのロッドの固定状態を示す図である。
【図９】図９（Ａ）は、第２変形例における内巻きのロッドの固定状態を示す図、図９（Ｂ）は、第２変形例における内巻きのヘアスタイルを正面から見た図、図９（Ｃ）は、第２変形例における外巻きのロッドの固定状態を示す図、図３（Ｄ）は、第２変形例における外巻きのヘアスタイルを正面から見た図である。
【発明を実施するための形態】
【００１４】
以下、本開示の例示的な実施形態について図面を参照しながら説明する。
［１．第１実施形態］
［１−１．工程］
第１実施形態のパーマネントウェーブの施術方法（以下、「施術方法」という。）では、以下の工程を順次行う。
【００１５】
第１工程  洗髪
第２工程  ロッドの巻付
第３工程  パーマネントウェーブ第１剤の塗布
第４工程  放置
第５工程  すすぎ
第６工程  パーマネントウェーブ第２剤の塗布
第７工程  放置
第８工程  ロッドの取り外し
第９工程  すすぎ
［第１工程  洗髪］
毛髪を洗髪する。これにより、毛髪に付着した汚れや整髪料等が洗い流されるとともに、適度な水分が毛髪に吸収される。
【００１６】
［第２工程  ロッドの巻付］
次に、毛髪を、第１のロッド１に巻きつける。第１のロッド１は、一般的なパーマネントウェーブ用のロッドである。第１のロッド１の形状は、円筒状であって、外径及び内径における中心軸と垂直な断面が概略真円状である。第１のロッド１の両端部には、後述する輪ゴムを引っかけるための図示しない溝が複数、周方向に等間隔に設けられている。
【００１７】
以下、図１に示す内巻きの手順を例に、第２工程を説明する。なお、図１におけるＳ１からＳ３まで、及び図２における後述する状態Ｉ１が内巻きの例であって、図２におけるＥ１が外巻きの例である。なお、各実施形態の説明に用いる各図では、第１のロッド１、第２のロッド２及び毛束１００の位置関係を見やすくするため、第１のロッド１、第２のロッド２及び毛束１００のそれぞれには空間を設けて図示している。
【００１８】
まず、Ｓ１で、毛束１００を第１のロッド１に巻き付ける。毛束１００は、被施術者１０の毛髪の一部分を束ねた束である。具体的には、毛束１００の先端１０１から、第１のロッド１に、被施術者１０の頭部に対して内巻きの方向に約１回転半巻き付ける。次に、先端１０１がばらつくのを防ぐために、毛束１００における第１のロッド１に巻き付けられた部分の全体を覆うように、図示しないペーパーを巻き付ける。
【００１９】
次に、Ｓ２及びＳ３で、毛束１００を第２のロッド２に巻き付ける。なお、第２のロッド２は、第１のロッド１と同一の大きさ及び形状である。
まず、Ｓ２で、毛束１００における第１のロッド１に二重に巻き付けられた部分を介して、第２のロッド２を第１のロッド１に当接させる。ここで、「二重に巻き付けられた部分」とは、毛束１００における、Ｓ１にて先端１０１から第１のロッド１に巻き付けられた部分のうち、二重に巻かれている部分であって、本実施形態では、第１のロッド１の周面のうち約半分を占める。
【００２０】
次に、Ｓ３で、第１のロッド１に巻き付けた方向とは反対の方向に、毛束１００を第２のロッド２に巻き付ける。具体的には、第２のロッド２を軸として、毛束１００とともに第１のロッド１を、矢印Ｘの方向、換言すれば第２のロッド２の上方、に移動させる。
【００２１】
Ｓ３の後、図示しない輪ゴムを、第１のロッド１の複数の溝のうちの１箇所と、第２のロッド２の複数の溝のうちの１箇所に引っかけることによって、第１のロッド１及び第２のロッド２を互いに固定する。なお、輪ゴムによる固定の際に、輪ゴムと毛束１００との間にヘアピン等を挟むことによって、毛束１００に輪ゴムの跡がつかないようにしてもよい。
【００２２】
第２工程の後の毛束１００、第１のロッド１及び第２のロッド２の状態Ｉ１を、図２に示す。第１のロッド１は、第２のロッド２の上方に位置し、第１のロッド１及び第２のロッド２は、毛束１００を介して互いに当接している。
【００２３】
次に、被施術者１０の毛髪を外巻きに癖付けする場合について説明する。外巻きに毛髪を癖付けする施術方法は、基本的には図１に示すＳ１からＳ３までの手順と同様であるが、逆の方向に毛束２００を巻き付ける点で相違する。よって、外巻きに癖付けする場合については、当該相違点を中心に説明する。
【００２４】
具体的には、まず、毛束２００を、第１のロッド１に、先端２０１から被施術者１０の頭部に対して外巻きの方向に巻き付ける。次に、第１のロッド１に巻き付けた方向とは反対の方向に、毛束２００を第２のロッド２に巻き付ける。具体的には、第２のロッド２を軸として、毛束２００とともに第１のロッド１を、被施術者１０の上方に移動させる。
【００２５】
第２工程の後の毛束２００、第１のロッド１及び第２のロッド２の状態Ｅ１を、図２に示す。第１のロッド１は、第２のロッド２の上方に位置し、第１のロッド１及び第２のロッド２は、毛束２００を介して互いに当接している。
【００２６】
以上の手順を、毛髪における癖付けを行いたい他の毛束に対しても繰り返し行っていく。なお、状態Ｉ１に示す内巻き及び状態Ｅ１に示す外巻きの巻き方のうち、所望のヘアスタイルに合わせて、すべての毛束にいずれか一方のみの巻き方を施してもよいし、毛束ごとに異なる巻き方を施してもよい。
【００２７】
［第３工程  パーマネントウェーブ第１剤の塗布］
第１のロッド１及び第２のロッド２に巻き付けられた毛髪に対して、還元剤であるパーマネントウェーブ第１剤を均等に塗布する。なお、第１のロッド１及び第２のロッド２は、第８工程まで毛髪から取り外さない。
【００２８】
［第４工程  放置］
パーマネントウェーブ第１剤が塗布された毛髪を、約１０分から２０分ほど放置する。
［第５工程  すすぎ］
毛髪をすすいで、毛髪に付着したパーマネントウェーブ第１剤を洗い流す。
【００２９】
［第６工程  パーマネントウェーブ第２剤の塗布］
パーマネントウェーブ第１剤が洗い流された状態である毛髪に対して、酸化剤であるパーマネントウェーブ第２剤を均等に塗布する。
【００３０】
［第７工程  放置］
約１０分ほど毛髪を放置する。
［第８工程  ロッドの取り外し］
第１のロッド１及び第２のロッド２を毛髪から取り外す。
【００３１】
［第９工程  すすぎ］
毛髪をすすいで、毛髪に付着したパーマネントウェーブ第２剤を洗い流す。なお、その後、毛髪を乾燥させてもよい。
【００３２】
以上の第１工程から第９工程までの作業により、第１実施形態におけるパーマネントウェーブの施術が完了する。
［１−２．効果］
以上詳述した第１実施形態によれば、以下の効果が得られる。
【００３３】
（１ａ）第１実施形態の施術方法では、第１のロッド１及び第２のロッド２によってＳ字状にカールされた状態で毛髪の癖付けが行われる。よって、毛髪に平面的なＳ字状の癖付けを行う施術方法を提供することが可能となる。
【００３４】
ここで、比較例を挙げて、本実施形態で実現されるＳ字状のヘアスタイルについて説明する。図３（Ａ）及び図３（Ｂ）は、１つのロッドに１つの毛束３００を複数回巻き付けることによって毛髪を癖付けする、一般的な施術方法（以下、「従来の施術方法」という。）によって提供されるヘアスタイルの例である。一方、図３（Ｃ）及び図３（Ｄ）は、第１実施形態の施術方法（以下、「実施形態の施術方法」という。）によって提供されるヘアスタイルの例である。
【００３５】
従来の施術方法によって癖付けされた毛束３００は、１つのロッドによって癖付けされているため、立体的ならせん状である。このため、毛束３００は、図３（Ａ）で示すように正面から見ても、図３（Ｂ）で示すように側面から見ても、Ｓ字状にカールしているように見える。これに対して、実施形態の施術方法によって癖付けされた毛束１００は、平面的なＳ字状であるため、正面から見た場合と、側面から見た場合とでは、形状が大きく異なる。具体的には、毛束１００は、図３（Ｃ）で示すように、正面から見た場合、Ｓ字状にカールしているように見えるが、図３（Ｄ）で示すように、側面から見た場合、カールがほとんどない、ストレートに近いように見える。このように、従来の施術方法では、立体的ならせん状にカールするヘアスタイルを提供する。これに対し、実施形態の施術方法では、パーマネントウェーブの施術のみによって、平面的なＳ字状のヘアスタイルを提供することが可能となる。
【００３６】
なお、例えば、ウェーブパーマ用として知られている、先端の２箇所に毛束を巻き付けるタイプのＵ字状のロッドでは、当該先端の２箇所の間に空間が存在する。このため、Ｕ字状のロッドを用いて毛髪に癖付けを行う場合、毛束における、先端の２箇所に巻き付けられた部分には癖付けが行われるものの、その間の部分には癖付けが行われない。よって、癖付け後の毛髪には、カールしている部分の間に、カールしていないストレートの部分が残る。そうすると、流行のヘアスタイルであるきつめのＳ字状（いわゆる波のエッジの効いたＳ字状）に、毛髪を癖付けすることはできない。
【００３７】
これに対し、本実施形態では、第１のロッド１と第２のロッド２とを互いに当接させ毛束１００を巻き付ける。このため、ストレートの部分を設けることなく毛髪を癖付けすることが可能となる。しかも、本実施形態の施術方法によれば、Ｕ字状のロッドのような特殊な道具を用いる必要がなく、一般的な円筒状のロッドのみによって、Ｓ字状に癖付けを行うことが可能である。
【００３８】
（１ｂ）第１実施形態の施術方法では、毛束１００の先端１０１から、第１のロッド１に約１回転半巻き付け、第１のロッド１に二重に巻き付けられた毛束１００を介して、第２のロッド２を、第１のロッド１に当接させる。このような方法によれば、第１のロッド１に一重のみ巻き付けられた毛束１００を介して第２のロッド２を第１のロッド１に当接させる場合と比較して、毛束１００における第１のロッド１に巻き付けた部分に、より強く癖付けを行うことが可能となる。
【００３９】
［２．第２実施形態］
［２−１．工程］
第２実施形態における施術方法は、基本的には第１実施形態と同様であるが、図４及び図５に示すように、第３のロッド３に毛束１００を更に巻き付ける点で相違する。よって、第２実施形態では、当該相違点を中心に説明する。なお、図４におけるＳ４からＳ６まで、及び図５における後述する状態Ｉ２が内巻きの例であって、図５におけるＥ２が外巻きの例である。
【００４０】
まず、Ｓ３の手順の後に、図４のＳ４に示すように、毛束１００を介して、第３のロッド３を、第１のロッド１及び第２のロッド２のそれぞれに当接させる。具体的には、第３のロッド３を、毛束１００における第１のロッド１及び第２のロッド２に巻き付けられた部分に当接させる。なお、第３のロッド３は、第１のロッド１及び第２のロッド２と同一の大きさ及び形状である。
【００４１】
次に、Ｓ５及びＳ６で、第２のロッド２に巻き付けた方向とは反対の方向に、毛束１００を第３のロッド３に巻き付ける。具体的には、第３のロッド３を軸として、毛束１００とともに第１のロッド１及び第２のロッド２を、矢印Ｙの方向、換言すれば、被験者１０の頭頂の方向に移動させる。
【００４２】
Ｓ６の後、第１実施形態と同様、図示しない輪ゴムによって、第１のロッド１及び第２のロッド２、第１のロッド１及び第３のロッド３、第２のロッド２及び第３のロッド３を、それぞれ互いに固定する。
【００４３】
第２工程の後の毛束１００、第１のロッド１、第２のロッド２及び第３のロッド３の状態Ｉ２を、図５に示す。第１のロッド１、第２のロッド２及び第３のロッド３は、毛束１００を介して互いに当接している。
【００４４】
図５のＥ２で示すように、第２実施形態において被施術者１０の毛髪を外巻きに癖付けする場合も、第１実施形態と同様、逆の方向に毛束を巻き付ける点で相違する。その他、基本的には図４に示すＳ４からＳ６までの手順と同様である。
【００４５】
［２−２．効果］
（２ａ）第２実施形態の施術方法によれば、第１のロッド１及び第２のロッド２のみによって毛髪の癖付けを行う場合と比較して、ウェーブの数を増やして毛髪の癖付けを行うことができる。
【００４６】
［３．第３実施形態］
［３−１．工程］
第３実施形態における施術方法は、基本的には第２実施形態と同様であるが、図６及び図７に示すように、第４のロッド４に毛束１００を更に巻き付ける点で相違する。よって、第３実施形態では、当該相違点を中心に説明する。なお、図６におけるＳ７及びＳ８、及び図７における後述する状態Ｉ３が内巻きの例であって、図７におけるＥ３が外巻きの例である。
【００４７】
まず、Ｓ６の手順の後に、図６のＳ７に示すように、毛束１００を介して、第４のロッド４を、第２のロッド２及び第３のロッド３のそれぞれに当接させる。具体的には、第４のロッド４を、毛束１００における第２のロッド２及び第３のロッド３に巻き付けられた部分に当接させる。なお、第４のロッド４は、第１のロッド１、第２のロッド２及び第３のロッド３と同一の大きさ及び形状である。
【００４８】
次に、Ｓ８で、第３のロッド３に巻き付けた方向とは反対の方向に、毛束１００を第４のロッド４に巻き付ける。具体的には、第４のロッド４を軸として、毛束１００とともに第１のロッド１、第２のロッド２及び第３のロッド３を、矢印Ｚの方向、換言すれば、被験者１０の頭頂の方向に移動させる。
【００４９】
Ｓ８の後、第２実施形態と同様、図示しない輪ゴムによって、第１のロッド１及び第３のロッド３、第２のロッド２及び第４のロッド４、第３のロッド３及び第４のロッド４を、それぞれ互いに固定する。
【００５０】
第２工程の後の毛束１００、第１のロッド１、第２のロッド２、第３のロッド３及び第４のロッド４の状態Ｉ３を、図７に示す。第１のロッド１、第２のロッド２、第３のロッド３及び第４のロッド４のうち隣接するロッド同士が毛束１００を介して互いに当接している。
【００５１】
図７のＥ３で示すように、第３実施形態において被施術者１０の毛髪を外巻きに癖付けする場合も、第２実施形態と同様、逆の方向に毛束を巻き付ける点で相違する。その他、基本的には図６に示すＳ７及びＳ８の手順と同様である。
【００５２】
［３−２．効果］
（３ａ）第３実施形態の施術方法によれば、第１のロッド１、第２のロッド２及び第３のロッド３のみによって毛髪の癖付けを行う場合と比較して、ウェーブの数を増やして毛髪の癖付けを行うことができる。
【００５３】
［４．他の実施形態］
以上、本開示の実施形態について説明したが、本開示は、上記実施形態に限定されることなく、種々の形態を採り得ることは言うまでもない。
【００５４】
（４ａ）上記各実施形態では、すべて同一の形状である円筒状の第１のロッド１、第２のロッド２、第３のロッド３及び第４のロッド４を例示した。しかし、ロッドの形状はこれに限定されるものではなく、例えば、円錐状のロッドや外径及び内径における中心軸と垂直な断面が概略楕円状のロッドなどを用いてもよい。また、それぞれの毛束によって形状が異なったロッドを施術に用いてもよい。
【００５５】
（４ｂ）上記各実施形態では、すべて同一の大きさである第１のロッド１、第２のロッド２、第３のロッド３及び第４のロッド４を例示した。しかし、ロッドの大きさはこれに限定されるものではなく、それぞれのロッドによって大きさが異なったものをパーマネントウェーブの施術に用いてもよい。
【００５６】
例えば、図８に示す第１変形例における施術方法は、第２のロッド６の外径が、第１のロッド５の外径よりも小さい点で、第１実施形態の施術方法と相違する。このように、外径が異なる第１のロッド５及び第２のロッド６を用いることによって、毛束１００における、第１のロッド５に巻き付けられた部分と第２のロッド６に巻き付けられた部分とで、カールのかかり具合をそれぞれ独立して調整することができる。
【００５７】
特に、毛束１００における、先端１０１側の部分とその他の部分とで状態が異なる場合、カールのかかり具合が部分によって異なる。「状態が異なる場合」とは、例えば、先端１０１側の部分、換言すれば毛先側の部分、がその他の部分と比較して、傷んでいる場合、過去のパーマネントウェーブが残っている場合、カットによって量が少ない場合等が挙げられる。そして、先端１０１側の部分が上述した例のいずれかの状態である場合、先端１０１側の部分はその他の部分と比較してカールがかかりやすい。このような毛先の部分を有する毛束１００に、第１のロッド１及び第２のロッド２を用いて癖付けを行った場合、毛束１００における、先端１０１側である第１のロッド１に巻き付けられた部分は、第２のロッド２に巻き付けられた部分よりもカールがかかりやすい。そうすると、癖付け後の毛束１００は、第１のロッド１に巻き付けられた部分が、癖付け後の第２のロッド２に巻き付けられた部分よりもきつくカールする形状となるため、図３（Ｃ）及び図３（Ｄ）に示す均等なＳ字のヘアスタイルとならない。
【００５８】
これに対し、第１変形例における第１のロッド５は、第２のロッド６と比較して、外径が大きい（換言すれば、第２のロッド６は第１のロッド５と比較して外径が小さい）。そうすると、毛束１００における、カールがかかりやすい状態である第１のロッド５に巻き付けられた部分は、第２のロッド６に巻き付けられた部分よりも弱くカールした状態で癖付けされる。よって、癖付け後の毛束１００は、第１のロッド５に巻き付けられた部分と、第２のロッド６に巻き付けられた部分とが、均等に近い大きさのカールとなる。すわなち、第１変形例における施術方法によれば、カールのかかり具合を、毛束の部分によってそれぞれ独立して調整することができる。
【００５９】
なお、図８では内巻きに癖付けする場合の施術方法を例示しているが、外巻きに癖付けする場合も、第１のロッド５及び第２のロッド６を用いることによって、当該内巻きに癖付けする施術方法と同様に毛束の部分によってカールのかかり具合を調整することができる。
【００６０】
なお、第１変形例では、第１のロッド５及び第２のロッド６を使用する施術方法を例示したが、ロッドの数はこれに限らず、毛髪の状態に合わせた大きさのロッドを３つ以上用いてもよい。
【００６１】
（４ｃ）また例えば、図９（Ａ）及び図９（Ｃ）に示す第２変形例における施術方法は、第２のロッド８の外径が、第１のロッド７の外径よりも大きい点で、第１実施形態の施術方法と相違する。このような方法によれば、第１のロッド７の外径と同じ外径の第２のロッド８を用いた場合と比較して、毛束１００における、第１のロッド７に巻き付けられた部分よりも、第２のロッド８に巻き付けられた部分が弱くカールするように癖付けされるよう調整することができる。
【００６２】
特に、図９（Ａ）に示すように、第２変形例の施術方法によって内巻きに癖付けを行った場合、ボリュームを抑えたヘアスタイルを提供することができる。具体的には、第２変形例の施術方法によって内巻きに癖付けを行った場合、毛束１００の中間にあたる部分は、第２のロッド８によって癖付けされる。このため、図９（Ｂ）に示すように、癖付け後は被施術者１０側に凹むように大きめのカールを描く。したがって、第２変形例による内巻きの施術方法によれば、毛髪のボリュームを抑えたＳ字状のヘアスタイルを提供することができる。
【００６３】
また、図９（Ｃ）に示すように、第２変形例の施術方法によって外巻きに癖付けを行った場合、図９（Ａ）とは反対に、ボリュームをアップさせたヘアスタイルを提供することができる。具体的には、第２変形例の施術方法によって外巻きに癖付けを行った場合、毛束２００の中間にあたる部分が、第２のロッド８によって癖付けされる。このため、図９（Ｄ）に示すように、癖付け後は被施術者１０側から膨らむように大きめのカールを描く。したがって、第２変形例による外巻きの施術方法によれば、毛髪のボリュームをアップさせたＳ字状のヘアスタイルを提供することができる。
【００６４】
なお、第２変形例では、第１のロッド７及び第２のロッド８を使用する施術方法を例示したが、ロッドの数はこれに限らず、毛髪における所望のボリュームに合わせた大きさのロッドを３つ以上用いてもよい。
【００６５】
（４ｄ）上記各実施形態では、毛束１００における第１のロッド１に巻き付けられた部分の全体を覆うように、図示しないペーパーを巻き付ける作業を含むロッドの巻付の工程を例示した。しかし、ロッドの巻付の工程はこれに限定されるものではなく、ペーパーを巻き付ける作業は含まれなくてもよい。
【００６６】
（４ｅ）上記各実施形態では、図示しない輪ゴムによって、第１のロッド１、第２のロッド２、第３のロッド３及び第４のロッド４を互いに固定する方法を例示した。しかし、各ロッドの固定方法はこれに限定されるものではなく、固定するロッドの組合せは特に限定されず、また例えば、クリップなど他の固定方法によって各ロッドを固定してもよい。
【００６７】
（４ｆ）上記各実施形態では、第１のロッド１及び第２のロッド２を毛髪に巻き付けたロッド巻付工程の後、パーマネントウェーブ第１剤の塗布の工程を行う施術方法を例示した。しかし、施術方法の順番はこれに限定されるものではない。例えば、パーマネントウェーブ第１剤の塗布の工程の後にロッドの巻付工程を行ってもよい。
【００６８】
（４ｇ）上記各実施形態では、パーマネントウェーブ第１剤の塗布の工程、放置、すすぎ及びパーマネントウェーブ第２剤の塗布の工程を順に行う施術方法を例示した。しかし、施術方法はこれに限定されるものではない。例えば、デジタルパーマ等を施す場合、パーマネントウェーブ第１剤の塗布の工程の後放置の工程の前に、加熱装置や電熱式のロッド等を用いて毛髪を加熱する工程を設けてもよく、また例えば、すすぎの工程の後パーマネントウェーブ第２剤の塗布の工程の前に、毛髪を乾かす乾燥工程を設けてもよい。
【００６９】
（４ｈ）上記各実施形態では、第１のロッド１、第２のロッド２、第３のロッド３及び第４のロッド４、最大４つのロッドを用いる施術方法を例示した。しかし、当該施術方法はこれに限定されるものではなく、例えば５つ以上のロッドを用いて毛髪の癖付けを行ってもよい。
【符号の説明】
【００７０】
１，５，７…第１のロッド、２，６，８…第２のロッド、３…第３のロッド、４…第４のロッド、１０…被施術者、１００，２００，３００…毛束、１０１，２０１…先端。
【図１】
2018064703.tif 000003
【図２】
2018064703.tif 000004
【図３】
2018064703.tif 000005
【図４】
2018064703.tif 000006
【図５】
2018064703.tif 000007
【図６】
2018064703.tif 000008
【図７】
2018064703.tif 000009
【図８】
2018064703.tif 000010
【図９】
2018064703.tif 000011
【手続補正書】
【提出日】平成29年9月21日(2017.9.21)
【手続補正１】
【補正対象書類名】特許請求の範囲
【補正対象項目名】全文
【補正方法】変更
【補正の内容】
【特許請求の範囲】
【請求項１】
毛束の先端側から第１のロッドに毛髪を巻き付ける第１の巻付工程と、
前記第１のロッドに巻き付けられた毛髪を介して、第２のロッドを前記第１のロッドに当接させるように、前記第１のロッドに巻き付けた方向とは反対の方向に、毛髪を前記第２のロッドに巻き付ける第２の巻付工程と、
を有し、
前記第２の巻付工程では、前記第２のロッドを軸として、毛束とともに前記第１のロッドを前記第２のロッドの上方に移動させる、パーマネントウェーブの施術方法。
【請求項２】
請求項１に記載のパーマネントウェーブの施術方法であって、
前記第２の巻付工程の後に、前記第１のロッドに巻き付けられた毛髪及び前記第２のロッドに巻き付けられた毛髪を介して、第３のロッドを前記第１のロッドと前記第２のロッドとのそれぞれに当接させるように、前記第２のロッドに巻き付けた方向とは反対の方向に、毛髪を前記第３のロッドに巻き付ける第３の巻付工程を更に有する、パーマネントウェーブの施術方法。
【請求項３】
第１のロッドに毛髪を巻き付ける第１の巻付工程と、
前記第１のロッドに巻き付けられた毛髪を介して、第２のロッドを前記第１のロッドに当接させるように、前記第１のロッドに巻き付けた方向とは反対の方向に、毛髪を前記第２のロッドに巻き付ける第２の巻付工程と、
前記第２の巻付工程の後に、前記第１のロッドに巻き付けられた毛髪及び前記第２のロッドに巻き付けられた毛髪を介して、第３のロッドを前記第１のロッドと前記第２のロッドとのそれぞれに当接させるように、前記第２のロッドに巻き付けた方向とは反対の方向に、毛髪を前記第３のロッドに巻き付ける第３の巻付工程と、
を有する、パーマネントウェーブの施術方法。
【請求項４】
請求項２又は請求項３に記載のパーマネントウェーブの施術方法であって、
前記第３の巻付工程の後に、前記第２のロッドに巻き付けられた毛髪及び前記第３のロッドに巻き付けられた毛髪を介して、第４のロッドを前記第２のロッドと前記第３のロッドとのそれぞれに当接させるように、前記第３のロッドに巻き付けた方向とは反対の方向に、毛髪を前記第４のロッドに巻き付ける第４の巻付工程を更に有する、パーマネントウェーブの施術方法。
【請求項５】
請求項１から請求項４までのいずれか１項に記載のパーマネントウェーブの施術方法であって、
前記第２の巻付工程では、前記第１のロッドに二重に巻き付けられた毛髪を介して、前記第２のロッドを、前記第１のロッドに当接させる、パーマネントウェーブの施術方法。
【請求項６】
請求項１から請求項５までのいずれか１項に記載のパーマネントウェーブの施術方法であって、
前記第２のロッドの外径は、前記第１のロッドの外径と大きさが異なる、パーマネントウェーブの施術方法。
【請求項７】
請求項６に記載のパーマネントウェーブの施術方法であって、
前記第２のロッドの外径は、前記第１のロッドの外径よりも小さい、パーマネントウェーブの施術方法。
【請求項８】
請求項６に記載のパーマネントウェーブの施術方法であって、
前記第２のロッドの外径は、前記第１のロッドの外径よりも大きい、パーマネントウェーブの施術方法。